(57)【要約】      （修正有）【課題】家庭等で使用できる丹沢ひのきを用いた小型足湯を提供する。【解決手段】人間の膝から下が入る程度以上の深さ及び大きさを有して上面が開放されている丹沢ひのき製の足湯本体槽１と、湯を加熱する加熱部材である温度調節器（投げ込みヒーター）４とを備え、前記加熱部材は、足湯本体槽１に着脱自在に取り付けられ足湯本体槽１に蓄えられた湯を加熱する。【選択図】図１
0003201266.tif 000002
【実用新案登録請求の範囲】
【請求項１】
人間の膝から下が入る程度以上の深さ及び大きさを有して上面が開放されている丹沢ひのき製の足湯容器本体と、湯を加熱する加熱部材とを備え、前記加熱部材は、前記足湯容器本体に着脱自在に取り付けられ前記足湯容器本体に蓄えられた湯を加熱する、ことを特徴とする丹沢ひのきを用いた小型足湯。
【請求項２】
前記丹沢ひのき製の容器本体は、接着剤を用いることなく、スイ込み加工（アリ加工、水漏れ防止）と、上下板締め付けボルトにより、製作されていることを特徴とする請求項１に記載の丹沢ひのきを用いた小型足湯。
【請求項３】
必要に応じて、深さ調整スノコ、排水装置、排水ホース、タオル掛け、ビニール掛け、安全フタ、移動用キャスター（ストッパー付き）、移動用手掛け（ステンレスパイプ）を、固定または着脱可能な状態で足湯容器本体に備えることを特徴ととする請求項１または２に記載の丹沢ひのきを用いた小型足湯。
【考案の詳細な説明】
【技術分野】
【０００１】
本考案は、家庭等で使用する移動可能な足湯（足湯器）に関するものです。
【背景技術】
【０００２】
温泉地では誰でも一度は足湯を体験されていると思います。その足湯に、御自分の家で、食事中やテレビを見ながら使えたら大変良いと思います。このような足湯にはいくつかの提案がされています。しかし、それらは、機能を重視したもの、大型で高価なものが大分部であり、疲労回復という足湯の効果以外のもう一つの大きな効果である「癒し効果」という点では、必ずしも適したものではないと考えています。
【先行技術文献】
【特許文献】
【０００３】
【特許文献１】特開２００１−１２９０５１号公報
【考案の概要】
【考案が解決しようとする課題】
【０００４】
温泉地に設置されています足湯は、もちろん移動可能なものではありません。また、家庭用等を対象とした小型足湯につきましても、種々の発明、考案がなされていますが、それらは、機能重視のものが多く、素朴感に欠けるものとなっており、癒し効果という点では、物足りない気がします。足湯には、何よりも、気持ち良く入ることが重要と考えますが、そのような観点にたった技術は見当たりません。気軽に、楽しくといった観点からの工夫もあまりみられません。
【０００５】
なお、大部分の足湯では、入る場合には靴下を脱ぎ、ズボンをたくし上げる必要があります。そのままで入ることのできる足湯は実用化していません。
【課題を解決するための手段】
【０００６】
上記の課題を解決するための
第１の考案は、人間の膝から下が入る程度以上の深さ及び大きさを有して上面が開放されている丹沢ひのき製の容器本体と、湯を加熱する加熱部材とを備え、前記加熱部材は、前記容器本体に着脱自在に取り付けられ前記容器本体に蓄えられた湯を加熱する、ことを特徴とする丹沢ひのきを用いた小型足湯です。
また、第２の考案は、第１の考案において、前記容器本体は、接着剤を用いることなく、スイ込み加工（アリ加工、水漏れ防止）と、板締め付けボルトにより、製作されていることを特徴とする丹沢ひのきを用いた小型足湯です。  また、第３の考案は、第１または第２の考案において、必要に応じて、深さ調整スノコ、排水装置、排水ホース、タオル掛け、ビニール掛け、安全フタ、移動用キャスター（ストッパー付き）、移動用手掛け（ステンレスパイプ）を、固定または着脱可能な状態で容器本体に備えることを特徴とする丹沢ひのきを用いた小型足湯です。
【０００７】
楽しく入る足湯として、本考案の足湯はビニール等の水（湯）が漏れない袋を用いることにより、靴下等を脱ぐことなく、また、ズボンをたくし上げることなく、楽しむことができるように工夫しています。
また、湯の中（底）に照明を配置したり、泡を出す器具を置くことも場合により、実施しています。このような工夫は、子供が足湯を好きになることへの大きなきっかけになります。    
【考案の効果】
【０００８】
本考案の丹沢ひのきを用いた小型足湯（足湯キット）は、東京の有名な劇場の舞台や腰かけにも使用された丹沢ひのき（秦野桧）で製作しました。散歩の前後、作業後、時間の合間に足を温めることで、心も気持も快適に、軽く、うれしくなってきます。個人差はありますが、足に不安があり、接骨院、マッサージ院等に行っておられる方は、ぜひ、一度、足湯に入ってみませんか。膝痛、筋肉痛、足の疲れ、鼻つまり、等の方々にも、お薦めです。足を温めると良いとされています。（入浴効果有りです。）
【０００９】
靴下、スラックス、ズボン等を着たままで入浴する場合は、ポリ袋（例えば４５リットル）を用意していただきます。袋に足を平行に並べて入浴し、２０〜３０分いたしますと、足全体が気持ち良く温まり、その後も、２０〜３０分は保温効果が持続します。
【００１０】
また、湯がポリ袋を通して押し付けるため、足が軽くなります。一度、その快適さを味わってみてください。特に足にむくみのある方には最適です。使用したポリ袋は裏返して家庭ゴミの袋として使ってください。
【００１１】
また、真夏（暑い時期）の利用法としては、足を冷やすことにより、体全体が涼しく感じると思います。小型足湯槽に水を入れ、氷を入れて足を５〜１０分冷やしますと、涼風に吹かれた様に汗が引き、気持ちが軽く成ってきます。熱中症対策にもなります。
使用するビニール袋を掛けることができるように、部材を取り付けています。
【図面の簡単な説明】
【００１２】
【図１】本考案の丹沢ひのきを用いた小型足湯の平面図（実施例１）
【図２】本考案の丹沢ひのきを用いた小型足湯の側面図（ホース掛け側）（実施例１）
【図３】本考案の丹沢ひのきを用いた小型足湯の側面図（ホース掛け側）（締め付けボルトを示した図）（実施例１）
【図４】本考案の丹沢ひのきを用いた小型足湯の側面図（ホース掛けと逆側）（実施例１）
【図５】本考案の丹沢ひのきを用いた小型足湯の他の側面図（スイ込み加工部分を示す図）（実施例１）
【図６】本考案の丹沢ひのきを用いた小型足湯の側面図（短辺側）（実施例１）
【図７】本考案の丹沢ひのきを用いた小型足湯（５８ｃｍ×４３ｃｍ×３５ｃｍ）の写真である。（実施例１）
【図８】本考案の丹沢ひのきを用いた小型足湯（６８ｃｍ×４３ｃｍ×３５ｃｍ）の写真である。（実施例２）
【図９】本考案の丹沢ひのきを用いた小型足湯（６８ｃｍ×４３ｃｍ×３５ｃｍ）の写真である。（実施例２）（安全フタをした状態）
【図１０】本考案の丹沢ひのきを用いた小型足湯（実施例１）において、水中（底）に光を発する部材（LED照明）と、泡を発生させる機器を入れた状態。本考案の足湯槽２（６８ｃｍ×４３ｃｍ×３５ｃｍ）の写真である。
【図１１】本考案の丹沢ひのきを用いた小型足湯の使用状態を示す写真である。
【図１２】本考案の丹沢ひのきを用いた小型足湯の使用状態を示す他の写真である。
【考案を実施するための形態】
【実施例】
【００１３】
図１に、本考案の実施例１を示します。大きさ（外径）は、縦58cm、横42cm、深さ35cmで、厚さ３５mmの丹沢ひのきによりできています。板の接合は、スイ込み加工（アリ加工、水漏れ防止）により行っています。また、上下方向の固定は上下板締め付けボルトによっており、接着剤は使用しておりません。締め付けボルトは、図３中の破線でしめしました。図４には締め付けボルト１２、スイ込み加工（アリ加工、水漏れ防止）１１の状態を示しました。13は化粧ナット（ステンレス）、3は深さ調整スノコ（くるぶし深さ）、9は温度調整器（投げ込みヒーター）保護棚です。
【００１４】
図２は、排水ホース６を付けた側の側面図です。上部には化粧框１０をつけています。2
は安全フタ、4は温度調節器（投げ込みヒーター）、5は排水口、6は排水ホース、7は移動用手掛け棒（ステンレスパイプ）、8は移動用キャスター（ストッパー付き）、13は化粧
ナット（ステンレス）、14はタオル掛けです。排水ホース３は使用しない時は、側面に掛けて保管します。
【００１５】
図４は、排水ホース６を付けた側の逆の側面図です。
図５は、スイ込み加工（アリ加工、水漏れ防止）１１の状態を示しました。
【００１６】
図６は、短辺側の側面図です。足湯本体槽は方形ですが、図２、図３、図４、図５にしめしますように、側板は上方に広がった台形にしています。2枚の側板の間に移動用手掛け
棒（ステンレスパイプ）７を2本配置しています。この2本ステンレス棒の内、上方の棒は、移動させる場合に手をかけるのに便利です。
【００１７】
この図に示しましたもの以外にも、縦６８cm、横４３cm、深さ３５cmの足湯槽も製造しています。最大の大きさは、縦１５０ｃm、横４３cm、深さ３５cmで6人用です。側面の板は、2枚をスイ込み加工で接合する場合と、3枚をスイ込み加工する場合はあります。蓋は2
枚の場合と3枚の場合を試作しました。
【００１８】
図７に実施例１（５８ｃｍ×４３ｃｍ×３５ｃｍ）の写真を示しました。写真中の足湯本体槽１の中の左に、深さ調整スノコ３を入れています。写真中の右上には、温度調節器（投げ込みヒーター）４を配置しています。温度調節器（投げ込みヒーター）４の傍には、温度調整器（投げ込みヒーター）保護棚９を置いて設置しています。この写真には、排水ホース６は写っていません（逆側です。）なお、安全フタ２は示していませんが１枚です。
【００１９】
図８に実施例２（６８ｃｍ×４３ｃｍ×３５ｃｍ）の写真を示しました。（上方からの写真です。）
【００２０】
図９に実施例２の他の写真を示しました。（上方からの写真です。）安全フタ２は2枚に
構成にしました。
【００２１】
図１０は、実施例１（５８ｃｍ×４３ｃｍ×３５ｃｍ）において、水中（底）に光を発する部材（LED照明）と、泡を発生させる機器を入れた状態を示しました（湯が入っていま
す。）
【００２２】
図１１に本考案の丹沢ひのきを用いた小型足湯（実施例１の変形）を使用している状態を示しました。子供が2人が入ることができます。
【００２３】
図１２にも、丹沢ひのきを用いた小型足湯（実施例１）を使用している状態を示しました。大人の場合は一人用です。この場合は、湯（水）は入れてありませんが、湯（水）を入れた場合は、足をビニールの袋に入れて足湯に入ります。ビニールを付けたままで足湯に使った場合も十分に温まったり、また、冷やすこともできます。湯の圧力による締め付け（圧迫効果）も十分にあります。  
【００２４】
使用している丹沢ひのき、及び本考案の製品には、以下のような特徴があります。
１．足湯槽は丹沢ひのきで、樹齢100年以上のものを使用しました。
２．安全フタは未使用の時、ごみが入ることを防ぎ、また、幼児が入る（落ちる）このがないようにするための安全用のフタです。蓋は2枚の場合と3枚の場合を試作しました。
３．スノコはくるぶし迄の足湯の為です。くるぶし迄しかつからない場合には、ここに足をおきます。
４．水温をつねに使用最適温度を保つ為に温度調節機能を持った投げ込みヒーターを湯の加熱に用いています。
５．水または湯を取り替え、又は排水する所を設けています。
６．排水する時に用いるホース（排水管）は外に出すために１．５ｍ長さとしました。（これは、必要に応じて、より長いものを使用する場合があります。）
７．手掛けは足湯槽を移動する時に手を掛ける箇所です。
８．キャスターは足湯槽の移動を軽くするためのもので、使用中はストッパー（ND）を下にします。
９．温度調整器（投げ込みヒーター）保護棚は加熱中に足が投げ込みヒーターにふれないようにするためのものです。
１０．温度調整器（投げ込みヒーター）保護棚は締め付けボルトを用いて固定しています。
【００２５】
次に、使用しております、丹沢ひのきの特徴を列記します。（秦野市環境産業部森林づくり課より、お聞きしました。秦野産の丹沢ひのきは、「かながわブランド県木材製品認定」を受けております。）
１．植樹されて50年以上で、枝振り、間引き管理の良い木です。100年樹齢のものもあり
ます。
２．日照が良く、風当りが少なく、寒暖の差がある最適な山よりのものです。山の土壌がひのきの生育に適しています。
３．木目がやさしく、仕上げされた後の色が均一で光沢があります。
４．音の響きが良く、かつ、ぬくもりのある素材です。
【産業上の利用可能性】
【００２６】
本考案には、丹沢、秦野地方の森林資源の有効利用、製材業、木材加工業の市場拡大に効果が期待されます。
【符号の説明】
【００２７】
１    足湯本体槽
2    安全フタ
3    深さ調整スノコ（くるぶし深さ）
4    温度調節器（投げ込みヒーター）
5    排水口
6    排水ホース
7    移動用手掛け棒（ステンレスパイプ）
8    移動用キャスター（ストッパー付き）
9    温度調整器（投げ込みヒーター）保護棚
10  化粧框
11  スイ込み加工（アリ加工、水漏れ防止）
12  板締め付けボルト
13  化粧ナット（ステンレス）
14  タオル掛け
【図１】
0003201266.tif 000003
【図３】
0003201266.tif 000004
【図４】
0003201266.tif 000005
【図５】
0003201266.tif 000006
【図２】
0003201266.tif 000007
【図６】
0003201266.tif 000008
【図７】
0003201266.tif 000009
【図８】
0003201266.tif 000010
【図９】
0003201266.tif 000011
【図１０】
0003201266.tif 000012
【図１１】
0003201266.tif 000013
【図１２】
0003201266.tif 000014
【手続補正書】
【提出日】平成27年9月17日(2015.9.17)
【手続補正１】
【補正対象書類名】実用新案登録請求の範囲
【補正対象項目名】請求項２
【補正方法】変更
【補正の内容】
【請求項２】
前記丹沢ひのき製の容器本体は、接着剤を用いることなく、アリ加工と、上下板締め付けボルトにより、製作されていることを特徴とする請求項１に記載の丹沢ひのきを用いた小型足湯。
【手続補正２】
【補正対象書類名】実用新案登録請求の範囲
【補正対象項目名】請求項３
【補正方法】変更
【補正の内容】
【請求項３】
深さ調整スノコ、排水装置、排水ホース、タオル掛け、ビニール掛け、安全フタ、移動用キャスター、移動用手掛けを、固定または着脱可能な状態で足湯容器本体に備えることを特徴とする請求項１または２に記載の丹沢ひのきを用いた小型足湯。